(57)【要約】【課題】  机等の什器の上面又は側面に設けられて電源用コンセント及び情報通信用コンセントの一方又は双方を有し、ＯＡ機器等に電力及び情報通信信号の一方又は双方を供給することを可能にし、さらに不使用時には閉鎖されて塵埃等の付着を防止するコンパクトな有蓋コンセントを提供する。【解決手段】  本発明に係る有蓋コンセント１０は、単体コンセント４２及び４４を配置可能な開口部４２及び４４を備えた基板１２と、基板１２に枢着される蓋２４ａ及び２４ｂとを有する。蓋２４ａ及び２４ｂは、開蓋位置及び閉蓋位置のいずれにおいても基板１２と略同一面を形成するので、机上の他の機器及び作業の障害とならない。【選択図】      図１
2005149754.tif 000002
【特許請求の範囲】
【請求項１】
電源用及び情報通信用のコンセントの少なくとも一方を備えた、什器に設けられる有蓋コンセントであって、
電源用及び情報通信用のコンセントの少なくとも一方を使用するための開口部を有する基板と、該基板の端部に枢着されて前記開口部を開閉可能な蓋とを有し、該蓋は、前記開口部を閉鎖する位置において前記基板に重畳して該基板と略同一の平坦面を形成することを特徴とする、有蓋コンセント。
【請求項２】
前記有蓋コンセントは前記蓋を２つ有し、前記基板は略矩形形状であるとともに前記開口部を２つ有し、前記２つの蓋は該基板の短辺を含む２つの端部に各々枢着されて観音開き式に前記２つの開口部を開閉可能であり、前記開口部を開口する開蓋位置においても前記基板と略同一の平坦面を形成する、請求項１に記載の有蓋コンセント。
【請求項３】
前記基板及び前記蓋が成型加工品として成形され、前記２つの蓋は、前記２つの蓋及び前記基板の一方に設けられたピンと前記２つの蓋及び前記基板の他方に設けられた該ピンに係合する孔とによって前記基板に枢着される、請求項２に記載の有蓋コンセント。
【請求項４】
前記有蓋コンセントは前記蓋を２つ有し、前記基板は略矩形形状であるとともに前記開口部を２つ有し、前記２つの蓋は該基板の長辺を有する１つの端部に枢着されて前記２つの開口部を開閉可能である、請求項１に記載の有蓋コンセント。
【請求項５】
前記基板及び前記蓋が成型加工品として成形され、前記２つの蓋は、前記基板の前記１つの端部に設けられた軸と該軸を囲繞するように前記２つの蓋に設けられた軸受部とによって前記基板に枢着される、請求項４に記載の有蓋コンセント。
【請求項６】
前記成型加工品が合成樹脂材料及びアルミニウム材料のいずれかである、請求項３又は５に記載の有蓋コンセント。
【発明の詳細な説明】
【技術分野】
【０００１】
本発明は、オフィス用その他用途の家具類を含む什器に設けられ、電源用及び情報通信用のコンセントの少なくとも一方を備えた有蓋コンセントに関する。
【背景技術】
【０００２】
従来、什器（特にテーブル又は机）の天板等の上で用いられる電気・電子機器類への電力供給は、建物の床面又は壁面に設けられた電気コンセントから配線タップ等を介してなされる。しかしオフィスのように事務用机等が多数配列された場所では、上述の配線タップ等を用いる方法では、多数の配線が錯綜して混乱を来たすという不都合がある。特に、近年のＩＴ技術の普及に伴い、オフィス等では多数の机の上に少なくとも１台のパーソナルコンピュータ及びその周辺機器類が設置され、これらのＯＡ機器類の多くには電源用さらには情報通信用の配線が接続される。このため、例えば電話回線を利用した通信においては、壁面の電話回線端子から通信線を各ＯＡ機器に配線することになり、電源用の配線と通信線とが錯綜する場合が多い。
【０００３】
このような配線の錯綜を解消すべく、各々の机の天板又は側板に中継コンセントを設け、床面等からこの中継コンセントへ他の線と錯綜させずに電源用及び通信用の配線を行う方法が一般的である。この方法によれば、机上の各ＯＡ機器をその中継コンセントに接続させるだけで電力供給及び通信の双方が可能になる。
【０００４】
一方、特許文献１には、机の天板又は側板の配線口を不使用時は閉鎖できるように構成されている配線コード用キャップが開示されている。これは、一般家庭用よりもむしろオフィス用又は教育施設用の机またはテーブルにコードを配線する場合に、コンセントの口部への塵埃の付着を防止し、さらに不使用時には天板等の開口部を閉鎖してその天板等の平坦性を維持する機能を有する。
【０００５】
【特許文献１】実開平５−２３７３４号公報
【発明の開示】
【発明が解決しようとする課題】
【０００６】
しかしながら、特許文献１に記載のキャップは電源用及び通信用のコンセント自体の組み込みを意図したものではなく、主に机下から机上への電源用配線の通過を可能にする開口部を使用時は開口し、不使用時は閉鎖することが可能な構造を有するものである。また全体的な形状及び構造がやや大型であり、これらを机上に複数配置することは机上に複数の開口部を設けることになり好ましくない。
【０００７】
そこで本発明は、机等の什器の天板又は側板等に設けられて電源用及び情報通信用コンセントの少なくとも一方を有し、電子機器等に電力供給及び情報通信の一方又は双方を行うことを可能にし、さらに不使用時には閉鎖されて塵埃等の付着を防止するコンパクトな有蓋コンセントを提供することを目的とする。
【課題を解決するための手段】
【０００８】
上記目的を達成するために、請求項１に記載の発明は、電源用及び情報通信用のコンセントの少なくとも一方を備えた、什器に設けられる有蓋コンセントであって、電源用及び情報通信用のコンセントの少なくとも一方を使用するための開口部を有する基板と、該基板の端部に枢着されて前記開口部を開閉可能な蓋とを有し、該蓋は、前記開口部を閉鎖する位置において前記基板に重畳して該基板と略同一の平坦面を形成することを特徴とする、有蓋コンセントを提供する。
【０００９】
請求項２に記載の発明は、請求項１に記載の有蓋コンセントにおいて、前記有蓋コンセントは前記蓋を２つ有し、前記基板は略矩形形状であるとともに前記開口部を２つ有し、前記２つの蓋は該基板の短辺を含む２つの端部に各々枢着されて観音開き式に前記２つの開口部を開閉可能であり、前記開口部を開口する開蓋位置においても前記基板と略同一の平坦面を形成する、有蓋コンセントを提供する。
【００１０】
請求項３に記載の発明は、請求項２に記載の有蓋コンセントにおいて、前記基板及び前記蓋が成型加工品として成形され、前記２つの蓋は、前記２つの蓋及び前記基板の一方に設けられたピンと前記２つの蓋及び前記基板の他方に設けられた該ピンに係合する孔とによって前記基板に枢着される、有蓋コンセントを提供する。
【００１１】
請求項４に記載の発明は、請求項１に記載の有蓋コンセントにおいて、前記有蓋コンセントは前記蓋を２つ有し、前記基板は略矩形形状であるとともに前記開口部を２つ有し、前記２つの蓋は該基板の長辺を有する１つの端部に枢着されて前記２つの開口部を開閉可能である、有蓋コンセントを提供する。
【００１２】
請求項５に記載の発明は、請求項４に記載の有蓋コンセントにおいて、前記基板及び前記蓋が成型加工品として成形され、前記２つの蓋は、前記基板の前記１つの端部に設けられた軸と該軸を囲繞するように前記２つの蓋に設けられた軸受部とによって前記基板に枢着される、有蓋コンセントを提供する。
【００１３】
請求項６に記載の発明は、請求項３又は５に記載の有蓋コンセントにおいて、前記成型加工品が合成樹脂材料及びアルミニウム材料のいずれかである、有蓋コンセントを提供する。
【発明の効果】
【００１４】
各請求項に記載の発明の有蓋コンセントでは、所要に応じて電源用コンセント及び情報通信用コンセントの一方又は双方が什器の天板上等に提供され、天板上の電子機器類等への電力及び情報通信信号の一方又は双方の供給が可能になり、かつ不使用時には塵埃の付着が防止されるとともに天板上での作業の障害とならない。
またパーソナルコンピュータのような電源供給と情報通信信号の双方の供給を必要とする機器類に対しては、電源用コンセント及び情報通信用コンセントを１つずつ有する全体として１つの有蓋コンセントの提供が可能であり、このような有蓋コンセントによれば什器の天板上等での配線の散乱が防止されて整理整頓を図れるとともに天板を有効に利用することができる。さらに１つの天板上に複数の有蓋コンセントを設けても美観が維持される。
【００１５】
特に、請求項２のようにすれば、観音開き式に開閉可能であって、開蓋位置及び閉蓋位置のいずれにおいても天板と略同一面を形成して什器の天板上等の作業の障害とならない。
【００１６】
特に、請求項３のようにすれば、観音開き式有蓋コンセントの構成要素を成型加工によって少ない個数にすることができ、かつ軽量化及び量産化が可能である。その結果、全体としてのコストダウンが可能になる。
【００１７】
特に、請求項４のようにすれば、開蓋位置において蓋を什器の天板上に延在させるか、或いは机等が建物内の壁面近くに配置されているときは、蓋を壁面にもたれさせた状態に保持することができ、いずれの場合でも机上での作業において蓋が障害とはならない。
【００１８】
特に、請求項５のようにすれば、有蓋コンセントの構成要素を成型加工によって少ない個数にすることができ、かつ軽量化及び量産化が可能である。その結果、全体としてのコストダウンが可能になる。
【００１９】
特に、請求項６のようにすれば、構成要素が合成樹脂材料又はアルミニウム材料の成型加工又は板金加工によって低コストに生産することが可能である。
【発明を実施するための最良の形態】
【００２０】
以下、図面を参照しながら本発明を詳細に説明する。
図１及び図２は、本発明の第１の実施形態である什器用有蓋コンセントが什器（図示例では机）の天板に装着された状態の側面図及び上面図である。図示されるように、什器用の有蓋コンセント１０は１つの基板１２を有する。基板１２は、略矩形形状を有し、什器例えば机の天板３０に形成されたコンセント孔３２の上部であって、天板３０と実質的同一高さ又は僅かに低い位置に取付けられ、有蓋コンセント１０の取付枠を形成する。また基板１２は、全体的には板状部材として、成形型による合成樹脂材料の成形によって作製され、略中央部には２つの開口部１４及び１６が予め形成されていることがコスト面等から最も有利である。これらの開口部１４及び１６には２つの単体コンセント４２及び４４（図示例ではコンセント４２が電源用、コンセント４４が情報通信用）がそれぞれ接着又は取付ねじを用いた固定等の適当な方法で取付けられる。基板１２に設けられる開口部が２つであることにより、１つの電子機器類に対して電力及び情報通信信号の双方が供給可能であるが、構造的にはさらに開口部の個数を増やすことも可能である。ただし、基板１２又は後述する観音開き蓋等を合成樹脂材料からなる成型部材として形成する場合には、強度面から開口部の数をあまり多数にしない方が好ましい。なお強度面からの所望に応じて、アルミニウム材料（すなわちアルミニウム又はその合金）等の軽量かつ可鋳材料を用いた金属金型による成形又は板金成形も可能であることは明らかである。
【００２１】
図２に示されるように、略矩形の基板１２はその両端部に蓋取付部１８ａ及び１８ｂを有する。蓋取付部１８ａ及び１８ｂの各々は、好ましくはラグビーボール又は楕円状に形成され、基板１２の各側面付近にそれぞれ位置する２つの突端１９ａ及び１９ｂをそれぞれ有する。突端１９ａ及び１９ｂは、２つの蓋２４ａ及び２４ｂをそれぞれ枢着する蝶番部を形成する。より詳細には、突端１９ａ及び１９ｂの各々には突出ピン２０が形成され、一方、蓋２４ａ及び２４ｂの各々は上記楕円形状に適合する相補的形状を備えた端部２５ａ及び２５ｂを有し、端部２５ａ及び２５ｂの各側部には突出ピン２０ａ及び２０ｂがそれぞれ係合可能な嵌合孔（図示せず）が設けられる。逆に蓋２４ａ及び２４ｂの端部２５ａ及び２５ｂが突出ピンを有し、蓋取付部１８ａ及び１８ｂの突端１９ａ及び１９ｂが嵌合孔を有することも勿論可能である。このようにして、蓋２４ａ及び２４ｂの開閉用の蝶番が提供される。なお２つの蓋２４ａ及び２４ｂは、基板１２と同様に好ましくは合成樹脂材料の成型法によって成形されることが有利である。
【００２２】
基板１２の両端部の蓋取付部１８ａ及び１８ｂにおける蝶番部に枢着された２つの蓋２４ａ及び２４ｂは、図１に矢印で示すように、２つの開口部１４及び１６を上方から閉鎖する閉蓋位置と、開口部１４及び１６を外部に露出させて机の天板３０上に延在する開蓋位置との間を観音開き式に移動可能である。２つの蓋２４ａ及び２４ｂは、開蓋位置においては天板３０上に延在して基盤１２と略同一面になり、かつ閉蓋位置においても基板１２に重畳して略同一面となるように、薄い平板状の部材から形成されることが好ましい。このように、２つの蓋２４ａ及び２４ｂは開蓋位置及び閉蓋位置のいずれにおいても机の天板３０から大きく突出しないように構成されているので、机上の機器類と接触して損傷を受ける可能性は極めて低い。また閉蓋位置においては開口部１４及び１６に収容される単体コンセント４２及び４４が外部から遮断されるので、各コンセント４２及び４４の差込口に塵埃等が入り込むことが防止される。
【００２３】
図３（ａ）及び（ｂ）は、閉蓋位置にある有蓋コンセント１０を示す図であり、単体コンセント４２及び４４が装着されていない状態又は不使用状態を示している。この状態では有蓋コンセント１０は、全体として極めて薄型の構造を有することから、机の天板３０上に設けられた場合であっても天板３０から大きくは突出せず、故に天板３０と略同一面を形成し、天板３０上の機器類の障害とはならない。
【００２４】
上述の基板１２と２つの蓋２４ａ及び２４ｂとからなる有蓋コンセント１０に装着されるコンセントとしては、例えば電源用コンセント４２又は情報通信用コンセント４４が可能である。具体的には、図２及び図４（ａ）〜（ｃ）に示されるように、電源用コンセント４２及び情報通信用コンセント４４を１つずつ有する場合（図２）、図２において両コンセントの位置を逆にした場合（図４（ａ））、情報通信用コンセント４４を２つ有する場合（図４（ｂ））及び電源用コンセント４２を２つ有する場合（図４（ｃ））が挙げられる。使用者はこれらを用途に応じて選択できる。
【００２５】
電源用コンセントは、所要の電圧、電流容量等の規格に応じて市販のコンセント部品から適宜選択可能である。このようなコンセントは、図１及び図２に示されるように、机の天板３０の下方で開口部１４内に配設され、コンセントの好ましくは下方に外部からの配線が接続される。また情報通信用コンセントも市販入手可能であり、例えば松下電工社の情報モジュラジャック（型番ＮＲ３１３０９）等が使用可能である。通信用コンセントは、有蓋コンセント１０取付時に外部情報配線と常時接続される接続端側においても結線作業を必要としない中継式コンセントが好ましく、電源用コンセントと同様に机の天板３０の下方で開口部１６内に配設される。
【００２６】
図５は、オフィス又は教室内等における机の上に有蓋コンセント１０を複数配設して、複数の電気・電子機器類Ｐとともに使用する状態を示す図である。この場合、電子機器類Ｐからの配線は机の下方から延びる構成となるが、床面に適当に敷設された外部供給線に接続されることで、配線の錯綜を防止することができ、かつ机上での配線の散乱等もないことからオフィス又は教室内の美観が保たれる。
【００２７】
次に有蓋コンセント１０を机の天板３０上に直接配設することが望ましくない場合における、有蓋コンセント１０の取付方法を図６に示す。図６に示される有蓋コンセント１０は、什器例えば机の天板３０の縁部分３４に取付具５０を用いて取付けられる。取付具５０は、縁部分３４に係合可能な凹部５２を備えた取付台座５４と、ボルト等の締付ねじ５８が螺合可能な雌ねじ部５６とを有する。取付具５０は、締付ねじ５８を雌ねじ部５６に対してねじにより移動させることによって天板３０の縁部分３４に固定される。取付台座５４の上部には本発明に係る有蓋コンセント１０を配設することができ、それにより天板３０の面より高い位置に有蓋コンセントを配置することが可能になる。好ましくは、取付台座５４は内部に単体コンセント４２及び４４を収容できるだけの容積を有し、取付台座５４の側部には外部配線とコンセント４２及び４４との結線を可能にするための配線孔が設けられる。
【００２８】
図７は、本発明の第２の実施形態の什器用有蓋コンセント１１０を示す。有蓋コンセント１１０が第１の実施形態の有蓋コンセント１０と異なる主たる点は、蓋が観音開き式でないことである。すなわち、什器用有蓋コンセント１１０は少なくとも１つ（図示例では２つ）の基板１１２を有し、基板１１２は、略矩形形状を有し、什器例えば机の天板（図示せず）形成されたコンセント孔（図示せず）の上部であって、天板と同一高さ又は僅かに低い位置に取付けられ、有蓋コンセント１１０の取付枠を形成する。また基板１１２は、全体的には板状部材として、最も好ましくは成形型による合成樹脂材料の成形により作製され、略中央部には２つの開口部１１４及び１１６が予め形成されている。これらの開口部１１４及び１１６には電源用コンセント１４２及び情報通信用１４４がそれぞれ接着又は取付ねじを用いた固定等の適当な方法で取付けられる。また有蓋コンセント１１０は、上述の有蓋コンセント１０と同様に、電源用コンセント１４２及び情報通信用１４４の位置が逆であってもよいし、電源用コンセント１４２を２つ有してもよいし、通信用コンセント１４４を２つ有してもよい。
【００２９】
図７に示されるように、有蓋コンセント１１０は略矩形の基板１１２の長辺を含む端部１１３上であって開口部１１４及び１１６の近傍に、それぞれ独立して開閉可能な蓋１２４ａ及び１２４ｂを有する。すなわち蓋１２４ａ及び１２４ｂは、単体コンセント１４２及び１４４が取付けられた開口部１１４及び１１６をそれぞれ独立に開閉できるように、基板１１２の端部１１３上にそれぞれ配置された枢軸１２６ａ及び１２６ｂの回りにそれぞれ枢着される。さらに蓋１２４ａ及び１２４ｂは、枢軸１２６ａ及び１２６ｂをそれぞれ囲繞する軸受部１２８ａ及び１２８ｂをそれぞれ有する。
【００３０】
次に基板１１２の端部１１３上に配置された枢軸１２６ａ及び１２６ｂ並びにそれらを囲繞する蓋１２４ａ及び１２４ｂの軸受部１２８ａ及び１２８ｂの構造について詳細に説明する。
図８（ａ）に示される構成の場合、枢軸１２６ａ及び１２６ｂ（１２６ｂは図示せず）の断面は円形形状を有し、軸受部１２８ａ及び１２８ｂ（１２８ｂは図示せず）は枢軸１２６ａ及び１２６ｂの円形断面をそれぞれ囲繞する相補的な円形断面を有する。このような構成によれば、図９（ａ）及び（ｂ）に示されるように、蓋１２４ａ及び１２４ｂは開口部１１４及び１１６を完全に閉鎖する閉蓋位置（図９（ａ））と、枢軸１２６ａ及び１２６ｂを中心に１８０°以上の角度まで移動した開蓋位置（図９（ｂ））との間をそれぞれ移動可能である。
【００３１】
また図８（ｂ）に示される構成の場合、枢軸１２６ａ及び１２６ｂ（１２６ｂは図示せず）は、円筒の一部をその円筒軸に平行な平面によって切除して形成された切除面１２７ａ及び１２７ｂ（１２７ｂは図示せず）をそれぞれ備えた形状を有する。すなわち枢軸１２６ａ及び１２６ｂの断面は「Ｄ」字形状を有し、軸受部１２８ａ及び１２８ｂ（１２８ｂは図示せず）は枢軸１２６ａ及び１２６ｂのＤ字断面形状をそれぞれ囲繞する好ましくは相補的な断面形状を有する。すなわち、軸受部１２８ａ及び１２８ｂは、枢軸１２６ａ及び１２６ｂのＤ字断面に対応するために、端部にある長さの平面部１２９ａ及び１２９ｂ（１２９ｂは図示せず）を夫々有する。このような構成によれば、蓋１２４ａ及び１２４ｂは開口部１１４及び１１６を完全に閉鎖する閉蓋位置（図９（ａ））と、枢軸１２６ａ及び１２６ｂの切除面１２７ａ及び１２７ｂと軸受部１２８ａ及び１２８ｂの平面部１２９ａ及び１２９ｂとが対向する開蓋位置（図８（ｂ））との間をそれぞれ移動可能である。この場合、蓋１２４ａ及び１２４ｂの開蓋位置すなわち可動範囲は、切除面１２７ａ及び１２７ｂを設ける位置によって任意に定めることができ、かつ常に一定にすることができる。
【００３２】
蓋１２４ａ及び１２４ｂが図８（ａ）に示す構成を有する場合は、蓋１２４ａ及び１２４ｂを閉蓋位置及び開蓋位置の双方において机等の什器の天板上に延在又は仰臥させることができる。このことは、蓋１２４ａ及び１２４ｂが机上での種々の作業の支障にならないという利点を有する。また、机等が建物内の壁面近くに配置されているときは、机の天板上における建物の壁面近くの部位に有蓋コンセント１１０を取付ければ、開蓋位置において蓋１２４ａ及び１２４ｂを壁面にもたれさせた状態に保持することができる。この場合も机上での作業に実質的影響はない。
【００３３】
一方、蓋１２４ａ及び１２４ｂが図８（ｂ）に示す構成の場合も開蓋位置及び閉蓋位置の双方において机等の什器の天板上に延在又は仰臥させることができるが、それに加えて、有蓋コンセント１１０を机等の什器の側板又は側面領域に配設するときに特に有効である。すなわち、図９（ａ）及び（ｂ）に示された軸受構造を利用すれば、蓋１２４ａ及び１２４ｂを例えば什器側面領域の表面に延在する位置まで移動させてその位置に保持することができるので、蓋１２４ａ及び１２４ｂが不意に動いて付近の人や物の障害になることがない。
【００３４】
蓋１２４ａ及び１２４ｂが、閉蓋位置においては基板１１２の開口部１１４及び１１６を完全に閉鎖して塵埃の進入を防止できることは明らかである。また有蓋コンセント１１０は、その構成要素である基板、蓋及び軸受部等を含めて、合成樹脂材料及びアルミニウム材料の一方又は双方を用いて成型加工及び板金加工の一方又は双方により有利に製造可能である。
【図面の簡単な説明】
【００３５】
【図１】本発明の第１の実施形態の有蓋コンセントの概略側面図である。
【図２】図１の有蓋コンセントの概略平面図である。
【図３】（ａ）図２において蓋が閉じた状態の図であり、（ｂ）（ａ）の概略側面図である。
【図４】（ａ）電源用コンセント及び通信用コンセントを１つずつ有する有蓋コンセントの平面図であり、（ｂ）通信用コンセントを２つ有する有蓋コンセントの平面図であり、（ｃ）電源用コンセントを２つ有する有蓋コンセントの平面図である。
【図５】机上に複数の有蓋コンセントを配設した実施例の概略斜視図である。
【図６】（ａ）什器の天板からさらに上方に配置された有蓋コンセント及びそのための取付具を示す正面図であり、（ｂ）（ａ）の側面図である。
【図７】本発明の第２の実施形態の有蓋コンセントの概略斜視図である。
【図８】（ａ）図７の８−８線における断面図であり、（ｂ）（ａ）の変形例である。
【図９】（ａ）図７の有蓋コンセントにおいて蓋が閉蓋位置にあるときの斜視図であり、（ｂ）蓋が１８０°の開蓋位置にあるときの斜視図である。
【符号の説明】
【００３６】
１０、１１０…有蓋コンセント
１２、１１２…基板
１４、１６、１１４、１１６…開口部
１８ａ、１８ｂ、１１８ａ、１１８ｂ…蓋
２４ａ、２４ｂ、１２４ａ、１２４ｂ…蓋
４２、１４２…電源用コンセント
４４、１４４…情報通信用コンセント
５０…取付具
５４…取付台座
【図１】
2005149754.tif 000003
【図２】
2005149754.tif 000004
【図３】
2005149754.tif 000005
【図４】
2005149754.tif 000006
【図５】
2005149754.tif 000007
【図６】
2005149754.tif 000008
【図７】
2005149754.tif 000009
【図８】
2005149754.tif 000010
【図９】
2005149754.tif 000011